(57)【特許請求の範囲】
【請求項１】
台に支えられた支柱を備え、この支柱には支柱に対してほぼ直角方向に伸びる複数のハンガー部材を設け、このハンガー部材は支柱に対して回転可能に設けられ、少なくとも一方の面が透明の部材からなる縦列の複数の袋と、上下の端の筒状の連結穴とが設けられた透明ポケットを、前記上端の連結穴に前記ハンガー部材を差し込むことで、前記ハンガー部材に懸架するように構成した収納ラックにおいて、前記ハンガー部材に懸架された第１ポケットと、前記ハンガー部材に懸架されていない、第２ポケットとを連結する半切りネジ合わせバサミを備え、前記半切りネジ合わせバサミは、一対の腕部と、前記腕部の各々の先端に設けられ、半分に切断されたネジと、ネジ止めとを備え、前記第１のポケットの下端の連結穴に前記一対の腕部の一方を挿入し、前記第２のポケットの上端の連結穴に、前記腕部の他方を挿入して、前記先端のネジを合わせてネジ止めで止めることで、第１及び第２の透明ポケットを連結可能としたことを特徴とする収納ラック。
【請求項２】
ハンガー部材の上部には、そのハンガーに懸架された収納袋に収納された物を表示する分類表を取り付け可能としたことを特徴とする請求項１記載の収納ラック。
【請求項３】
前記分類表を、磁石を利用したマグネットバサミで挟み込んで、前記ハンガー部材の上部に対して吸着させたことを特徴とする請求項２記載の収納ラック。
【発明の詳細な説明】
【技術分野】
【０００１】本発明は、縦型回転式により、ハンガーに懸架された透明ポケットを回転させＣＤ  ＤＶＤ  ＭＤ等を収納する回転ラック。透明ポケットは、用途に合わせつなげて増やせ分類表でわかりやすくした仕組み。
【背景技術】
【０００２】現在のＣＤラックは、メインタイトルが、ＣＤ同士重なってしまい探すのが大変。メインタイトルを見せて収納すると、場所が広範囲必要になる。ＭＤ  メモリカードなどは、メインタイトルが小さく、メインタイトルが無いものも多く、収納の形になっていない。整理  整頓がむずかしい。透明ポケットを回転させ懸架していて、つなげて使える物はない。半切ネジ合わせバサミの先端ネジを半分に切ったものはどこにもない。マグネットバサミは、壁等横面に装着する物が多く、上下部分に装着挟み込む物がなかった。
【発明の開示】
【発明が解決しようとする課題】
【０００３】最近、ＣＤ  ＤＶＤ  ＭＤ等非常に小型化している。自己管理をしっかりしないと、紛失や探すのに時間を費やしてしまう。小さすぎてメインタイトルが見えにくいので、自分で、わかりやすいタイトルを付け保管する必要がある。増えると場所が広範囲必要。それらの欠点を解決する。
【課題を解決するための手段】
【０００４】台に支えられた延び縮みする支柱を軸にして、ハンガー部材を回転部穴に差し込み組み合わせた回転部を、支柱上部に重ね、出っ張りで支え二重構造で回転させ、ＣＤ透明ポケット、ＭＤ透明ポケットは上部輪と下部輪を作り、そこに半切ネジ合わせバサミを差し込み、半切ネジの平らな面同士を合わせ、ネジ止めで固定しつなげて使い、ハンガーに引っ掛けぶらさげ、複数色の分類表を、フック付きマグネットバサミで挟み、ハンガーに立てかけ装着し、手動で回転させる。これらのことで問題点を解決する。
【発明の効果】
【０００５】縦型回転式により、その場を移動せず作業でき効率的。小スペースで多くのＣＤを収められ相当数収納可能。透明ポケットでメインタイトルが良く見え一目でわかるようになる。ＭＤなど小型化した物については、自分でタイトル作成し、複数色の分類表でわかりやすい表示ができ、マグネットバサミでタイトルはいつでも変更取替えでき、これらのことで出し入れがスムーズになり整理  整頓が容易になる。ＣＤ等増えた場合、支柱を伸ばし、透明ポケットを半切ネジ合わせバサミでつなげ、そのまま場所を取らないで増やし使える。
【発明を実施するための最良の形態】
【０００６】本発明は縦型回転収納ラックで、安定した台に伸び縮みする支柱を垂直にたて、支柱上に回転部を取り付け二重構造にしてスムーズに回転させる。回転部には、マグネット装着出来る磁性材で、丈夫で錆びない材質のハンガー部材を差し込み取り付ける。ＣＤ透明ポケット、ＭＤ透明ポケットは上部輪と下部輪を作り、そこに半分に切ったネジが先端にある半切ネジ合わせバサミを差し込みネジ止めで固定してつなげる。透明ポケット上部輪の部分を、ハンガーに引っ掛け複数色の分類表をフック付きマグネットバサミで挟み、ハンガー上に装着立てかけ、それらを手動で回転させる。透明ポケットで良く見えるようにして、半切ネジ合わせバサミによって透明ポケットを増やすことが出来、分類表で良くわかるようにしてＣＤを取り出しやすくすることが出来る形態。
【実施例】
【０００７】以下、添付図面に従って一実施例を説明する。１台は重みと大きさによって安定を図る。２支柱は全体を支え、回転部の軸となる。３ハンガーはマグネット装着出来る磁性材で、上部が平らな部材。４回転部穴はハンガー部材を差し込む穴。５回転部は支柱を軸として回転し、ハンガー、透明ポケット、分類表を回転させる。６出っ張りは回転部を落ちないように支える。７ＣＤ透明ポケットは上部輪、下部輪、ポケット袋で出来ていて透明素材。８ＭＤ透明ポケットは上部輪、下部輪、ポケット袋で出来ていて透明素材。９上部輪は半切ネジ合わせバサミを差し込む筒。１０分類表は収納された物を複数色に分類色分けし、マジック等でタイトルを書け、消せる表面材質。１１フック付きマグネットバサミはハンガー上部に装着出来るようマグネットを使用し、フックを取り付け、分類表示を挟み込み立てかける。１２下部輪は半切合わせバサミを差し込む筒。１３半切ネジ合わせバサミは上部輪と下部輪に差し込みつなげるもので、会わせる時、ポケットの厚みが薄いので隙間が出来ないよう半切状態にした。それでも合わさった時材質の薄い厚み分、隙間空間を作るためネジ部分は合わせ部より大きくした。１４ネジ止めは半切ネジの面を合わせ固定する物。
【産業上の利用可能性】
【０００８】本発明は縦型回転式により狭い場所にも置け、透明ポケットで見えるようになり、ＣＤ、ＭＤ等整理  整頓が容易になる。増えたら支柱を伸ばし、透明ポケットを半切ネジ合わせバサミでいくらでも増やせる。又、名刺  写真  小物  書類  部品など他の用途の整理にも使える。透明ポケットは、両面使いにしたり形や大きさを変えればさらに違った使い方が出来る。たとえば山積みになった仕事テーブル上の書類もこのラックを使い、書類の大きさの透明ポケットを付けわかりやすく整理し、テーブルを有効に使うこともできる。その場合、ハンガーの長さを透明ポケット上部輪に合わせて使用。ラック無しで壁等にぶらさげ半切ネジ合わせバサミで増やし壁一面収納することも出来、見せるためのディスプレイにもなる。学校や会社などの展示にも良いと思う。フック付きマグネットバサミは、磁性材天井などに付け、挟んで物をぶら下げることも出来、フック部分に物を引っ掛けることも出来きる。利用範囲は無限。
【図面の簡単な説明】
【０００９】
【図１】本発明のＣＤ  ＭＤ透明収納回転ラックを示す全体図です。
【図２】本発明のＣＤ  ＭＤ透明収納回転ラックの回転部の一部断面図です。
【図３】本発明のＣＤ  ＭＤ透明収納回転ラックの透明ポケットと半切ネジ合わせバサミの繋げ部分図です。
【図４】本発明のＣＤ  ＭＤ透明収納回転ラックのフック付きマグネットバサミと分類表横面図です。
【符号の説明】
【００１０】１    台２    支柱３    ハンガー４    回転部穴５    回転部６    出っ張り７    ＣＤ透明ポケット（収納部）８    ＭＤ透明ポケット（収納部）９    上部輪（連結穴）１０  分類表１１  フック付きマグネットバサミ（磁石）１２  下部輪（連結穴）１３  半切ネジ合わせバサミ（結合部材）１４  ネジ止め
【図１】
0004470180.tif 000002
【図２】
0004470180.tif 000003
【図３】
0004470180.tif 000004
【図４】
0004470180.tif 000005